(57)【要約】【課題】経皮的薬物投与装置のコストを低減させるイオントフォレシス用導通機構を提供する。【解決手段】パッチ１２と、パッチ１２に電流を供給する通電装置１４とを導通させるイオントフォレシス用導通機構であって、通電装置１４は、パッチ１２に電流を供給するための一対のスプリングプローブ５６ａ、５６ｂを有し、パッチ１２は、一対のスプリングプローブ５６ａ、５６ｂに対応して電気的に接続される一対の端子台４２ａ、４４ａを有し、パッチ１２と通電装置１４とを永久磁石５８ａ、５８ｂによって吸着させることで、一対のスプリングプローブ５６ａ、５６ｂが一対の端子台４２ａ、４４ａと電気的に接続する。【選択図】図１
2012139293.tif 000002
【特許請求の範囲】
【請求項１】
イオントフォレシス用パッチと、前記イオントフォレシス用パッチに電流を供給する通電装置とを導通させるイオントフォレシス用導通機構であって、
前記通電装置は、前記イオントフォレシス用パッチに電流を供給するための一対の通電用接触端子を有し、
前記イオントフォレシス用パッチは、前記一対の通電用接触端子に対応して電気的に接続される一対の導電部材を有し、
前記イオントフォレシス用パッチと前記通電装置とを磁力によって吸着させることで、前記一対の通電用接触端子が前記一対の導電部材と電気的に接続する
ことを特徴とするイオントフォレシス用導通機構。
【請求項２】
請求項１に記載のイオントフォレシス用導通機構であって、
前記通電装置は、前記イオントフォレシス用パッチに対する位置決めのための一対の第１磁石を有し、
前記イオントフォレシス用パッチは、前記一対の第１磁石に吸着する一対の磁性体又は一対の第２磁石を有し、
前記一対の第１磁石と、前記一対の磁性体又は前記一対の第２磁石とが吸着することで、前記一対の通電用接触端子が前記一対の導電部材と電気的に接続する
ことを特徴とするイオントフォレシス用導通機構。
【請求項３】
請求項２に記載のイオントフォレシス用導通機構であって、
前記一対の導電部材は、前記一対の導電部材を結ぶ直線の中点と、前記一対の磁性体又は前記一対の第２磁石を結ぶ直線の中点とが一致しないように、前記イオントフォレシス用パッチに設けられ、
前記通電装置を所定の向きで前記イオントフォレシス用パッチに装着すると、前記一対の第１磁石と、前記一対の磁性体又は前記一対の第２磁石とが吸着することで、前記一対の通電用接触端子が前記一対の導電部材と電気的に接続する
ことを特徴とするイオントフォレシス用導通機構。
【請求項４】
請求項２又は３に記載のイオントフォレシス用導通機構であって、
前記導電部材は、プリント基板上に、導通性材料にて印刷形成されたものである
ことを特徴とするイオントフォレシス用導通機構。
【請求項５】
請求項４に記載のイオントフォレシス用導通機構であって、
前記プリント基板より剛性が高く、且つ、前記通電用接触端子に接触する一対の導電板を前記一対の導電部材上に設け、
前記一対の通電用接触端子が前記一対の導電板と接触することで、前記一対の通電用接触端子が前記一対の導電部材と電気的に接続する
ことを特徴とするイオントフォレシス用導通機構。
【請求項６】
請求項２〜５のいずれか１項に記載のイオントフォレシス用導通機構であって、
前記イオントフォレシス用パッチが前記一対の第２磁石を有するとき、前記一対の第１磁石の前記イオントフォレシス用パッチと接触する面は、互いに異なる磁極を有する
ことを特徴とするイオントフォレシス用導通機構。
【請求項７】
請求項１〜６のいずれか１項に記載のイオントフォレシス用導通機構であって、
前記通電用接触端子は、スプリングプローブである
ことを特徴とするイオントフォレシス用導通機構。
【請求項８】
請求項１〜７のいずれか１項に記載のイオントフォレシス用導通機構であって、
前記イオントフォレシス用パッチは、薬剤が封入された第１接触部材を有するドナー部と、第２接触部材を有するリファレンス部と、前記第１接触部材及び前記第２接触部材にそれぞれ前記通電装置からの電流を供給するための第１電極及び第２電極と、を有し、
前記一対の導電部材のうち、一方の前記導電部材は、前記第１電極に電気的に接続され、他方の前記導電部材は、前記第２電極に電気的に接続され、
前記通電装置は、一方の前記通電用接触端子と、該一方の前記通電用接触端子に電気的に接続する前記一方の導電部材とを介して、前記第１電極に電流を供給する
ことを特徴とするイオントフォレシス用導通機構。
【発明の詳細な説明】
【技術分野】
【０００１】
本発明は、人の皮膚に微弱電流を流すことで薬剤を皮膚に浸透させるイオントフォレシスの原理を利用した経皮的薬物投与装置の通電装置とイオントフォレシス用パッチとを電気的に接続させるイオントフォレシス用導通機構に関する。
【背景技術】
【０００２】
経皮的薬物投与装置の１つの手法としてイオントフォレシスというものがある。イオントフォレシスは、皮膚の離れた２点に正負の電極を装着して、一方の電極から角質層を横切った後、他方の電極に到達する電気の流れを形成することで、荷電した薬物を電気泳動の原理で移動させて経皮吸収を促進させる方法である。
【０００３】
正負の電極のうち、一方は薬物を含んだゲルに接しており、ドナー部とよばれ、他方は生理食塩水を含んだゲルに接しており、リファレンス部と呼ばれる。
【０００４】
原理的には、荷電薬物が吸収促進の対象となるが、電気が流れることによって水の流れも生じるため、電荷を持たない薬物や分子量の大きな薬物でも皮膚透過性が上昇すると報告されている。
【０００５】
一般的なイオントフォレシスを利用した薬物投与システムは、薬物を含んだパッチと、このパッチに電流を与えるコントローラを有する。従来、薬物投与システムは、商用電源（例えば、ＡＣ１００Ｖ）用いて電流を供給する方式が一般的だったが、近年、下記に示す特許文献１に示すように投与中も患者の行動を制限しないように、バッテリ（例えば、コイン形の電池）を用いて電流を供給する携帯型の薬物投与システムが商品化されている。
【先行技術文献】
【特許文献】
【０００６】
【特許文献１】特表平１０−５１２４７４号公報
【発明の概要】
【発明が解決しようとする課題】
【０００７】
しかしながら、上記特許文献１では、パッチが、従来のパッチと比較して、電気回路の部分が必要になるためコストが高くなり、特に、コントローラ（通電装置）と接続するためのコネクタ部分が高コストの原因になっている。
【０００８】
そこで、本発明は、係る従来の問題点に鑑みてなされたものであり、経皮的薬物投与装置のコストを低減させるイオントフォレシス用導通機構を提供することを目的とする。
【課題を解決するための手段】
【０００９】
上記目的を達成するために、請求項１に係る発明は、イオントフォレシス用パッチと、前記イオントフォレシス用パッチに電流を供給する通電装置とを導通させるイオントフォレシス用導通機構であって、前記通電装置は、前記イオントフォレシス用パッチに電流を供給するための一対の通電用接触端子を有し、前記イオントフォレシス用パッチは、前記一対の通電用接触端子に対応して電気的に接続される一対の導電部材を有し、前記イオントフォレシス用パッチと前記通電装置とを磁力によって吸着させることで、前記一対の通電用接触端子が前記一対の導電部材と電気的に接続することを特徴とする。これにより、コネクタが不要となり、結果として低コストの経皮的薬物投与装置を提供することができる。
【００１０】
請求項２に係る発明は、請求項１に記載のイオントフォレシス用導通機構であって、前記通電装置は、前記イオントフォレシス用パッチに対する位置決めのための一対の第１磁石を有し、前記イオントフォレシス用パッチは、前記一対の第１磁石に吸着する一対の磁性体又は一対の第２磁石を有し、前記一対の第１磁石と、前記一対の磁性体又は前記一対の第２磁石とが吸着することで、前記一対の通電用接触端子が前記一対の導電部材と電気的に接続することを特徴とする。これにより、簡単に前記通電装置と前記イオントフォレシス用パッチとを電気的に接続させることができる。
【００１１】
請求項３に係る発明は、請求項２に記載のイオントフォレシス用導通機構であって、前記一対の導電部材は、前記一対の導電部材を結ぶ直線の中点と、前記一対の磁性体又は前記一対の第２磁石を結ぶ直線の中点とが一致しないように、前記イオントフォレシス用パッチに設けられ、前記通電装置を所定の向きで前記イオントフォレシス用パッチに装着すると、前記一対の第１磁石と、前記一対の磁性体又は前記一対の第２磁石とが吸着することで、前記一対の通電用接触端子が前記一対の導電部材と電気的に接続することを特徴とする。これにより、前記通電装置を前記所定の向き以外の向きで、前記イオントフォレシス用パッチに装着しようとしても、若しくは装着しても、前記一対の通電用接触端子は前記一対の導電部材と電気的に接続されないので、前記通電装置と前記イオントフォレシス用パッチとの誤接続を防止することができる。
【００１２】
請求項４に係る発明は、請求項２又は３に記載のイオントフォレシス用導通機構であって、前記導電部材は、プリント基板上に、導通性材料にて印刷形成されたものであることを特徴とする。これにより、さらに経皮的薬物投与装置のコストが低廉になる。
【００１３】
請求項５に係る発明は、請求項４に記載のイオントフォレシス用導通機構であって、前記プリント基板より剛性が高く、且つ、前記通電用接触端子に接触する一対の導電板を前記一対の導電部材上に設け、前記一対の通電用接触端子が前記一対の導電板と接触することで、前記一対の通電用接触端子が前記一対の導電部材と電気的に接続することを特徴とする。これにより、前記通電装置と前記イオントフォレシス用パッチとの接触不良を抑えることができ、通電用接触端子と前記導電部材との電気的接続を向上させることができる。
【００１４】
請求項６に係る発明は、請求項２〜５のいずれか１項に記載のイオントフォレシス用導通機構であって、前記イオントフォレシス用パッチが前記一対の第２磁石を有するとき、前記一対の第１磁石の前記イオントフォレシス用パッチと接触する面は、互いに異なる磁極を有することを特徴とする。これにより、前記通電装置を前記所定の向きと逆向きで、前記イオントフォレシス用パッチに装着しようとしても、磁石の反発により前記通電装置が前記イオントフォレシス用パッチに装着されることはない。したがって、前記通電装置と前記イオントフォレシス用パッチとの誤接続を防止することができる。
【００１５】
請求項７に係る発明は、請求項１〜６のいずれか１項に記載のイオントフォレシス用導通機構であって、前記通電用接触端子は、スプリングプローブであることを特徴とする。これにより、前記通電装置と前記イオントフォレシス用パッチとの電気的接続を強固にすることができる。
【００１６】
請求項８に係る発明は、請求項１〜７のいずれか１項に記載のイオントフォレシス用導通機構であって、前記イオントフォレシス用パッチは、薬剤が封入された第１接触部材を有するドナー部と、第２接触部材を有するリファレンス部と、前記第１接触部材及び前記第２接触部材にそれぞれ前記通電装置からの電流を供給するための第１電極及び第２電極と、を有し、前記一対の導電部材のうち、一方の前記導電部材は、前記第１電極に電気的に接続され、他方の前記導電部材は、前記第２電極に電気的に接続され、前記通電装置は、一方の前記通電用接触端子と、該一方の前記通電用接触端子に電気的に接続する前記一方の導電部材とを介して、前記第１電極に電流を供給することを特徴とする。
【発明の効果】
【００１７】
本発明によれば、イオントフォレシス用パッチに通電装置を簡便に装着することができ、高価なコネクタを用いることのないイオントフォレシス用導通機構を提供することができる。
【図面の簡単な説明】
【００１８】
【図１】イオントフォレシスを利用した経皮的薬剤投与装置の全体構造を示す斜視図である。
【図２】図１に示すイオントフォレシス用パッチの分解斜視図である。
【図３】図２中のＩＩＩ−ＩＩＩ線に沿う電極フィルムの断面図である。
【図４】図４Ａは、電極フィルムの平面図であり、図４Ｂは、電極フィルムの底面図である。
【図５】図１に示す経皮的薬剤投与装置を患者の腕に密着配置した状態の側面説明図である。
【図６】変形例４における、孔と磁性体との配置関係の一例を示す図である。
【図７】変形例４における、孔と磁性体との配置関係の他の例を示す図である。
【図８】変形例５における経皮的薬剤投与装置の斜視図である。の経過に伴う電極間の抵抗の変化を示す図である。
【発明を実施するための形態】
【００１９】
本発明に係るイオントフォレシス用導通機構を有する経皮的薬剤投与装置について、好適な実施の形態を掲げ、添付の図面を参照しながら以下、詳細に説明する。
【００２０】
図１は、経皮的薬剤投与装置１０の全体構造を示す斜視図であり、経皮的薬剤投与装置１０を構成するイオントフォレシス用パッチ１２と、通電装置１４とを分解した状態で示している。図２は、図１に示すイオントフォレシス用パッチ１２の分解斜視図である。
【００２１】
経皮的薬剤投与装置１０（以下、装置１０という）は、例えば、血液透析患者の穿刺の除痛のために用いられ、患者の腕に局所麻酔剤（例えば、リドカインを含むイオン性麻酔剤）を投与、浸透させるための医療用器具であり、イオントフォレシス用パッチ１２（以下、パッチ１２という）を外部導体である患者の皮膚に貼り付け、通電装置１４から通電することで、パッチ１２に封入されたイオン性麻酔剤を生体に対して浸透させるものである。パッチ１２は、イオン性麻酔剤以外のイオン性薬剤を患者に投与するための装置に適用してもよく、イオン性でない薬剤を患者に投与するための装置に適用してもよい。
【００２２】
図１及び図２に示すように、装置１０は、パッチ１２と、該パッチ１２の表面（上面）に載置及び接続される通電装置１４とを備える。
【００２３】
パッチ１２は、円形薄板状のドナー部１６と、該ドナー部１６から離れて設けられた一辺が円弧状からなる矩形薄板状のリファレンス部１８と、これらドナー部１６とリファレンス部１８とにわたって通電装置１４が接続される電極フィルム（電極体）２０とを備える。電極フィルム２０は、ドナー部１６及びリファレンス部１８に対応した形状からなるドナー側部位２２と、リファレンス側部位２４と、ドナー部１６とリファレンス部１８を繋ぐ狭幅なブリッジ部位２６とを有する（図２参照）。
【００２４】
ドナー部１６は、該ドナー部１６の外形に対応した円形状のドナー用貼付部材２８と、該ドナー用貼付部材２８の開口に充填されるドナー用ゲル（第１接触部材）３０とを有し、該ドナー用ゲル３０の表面（図２における上面）に電極フィルム２０のドナー側部位２２が電気的に接続される。リファレンス部１８は、該リファレンス部１８の外形に略対応した一辺が円弧状からなる矩形状のリファレンス用貼付部材３２と、該リファレンス用貼付部材３２の開口に充填されるリファレンス用ゲル（第２接触部材）３４とを有し、該リファレンス用ゲル３４の表面に電極フィルム２０のリファレンス側部位２４が電気的に接続される。
【００２５】
ドナー用貼付部材２８及びリファレンス用貼付部材３２は、一定の強度で人体等の皮膚に貼り付く粘着性を有する弾性体であり、絶縁性を有する。ドナー用ゲル３０には、前記イオン性麻酔剤が封入されており、リファレンス用ゲル３４には、生理食塩水等、生体に為害性のない電解質（例えば、緩衝塩、食塩など）の液剤又は溶液が封入されている。穿刺になれた医療従事者であれば、穿刺予定箇所の薬剤送達の面積が２．５ｃｍ２あれば容易に針を刺させるので、例えば、ドナー用ゲル３０及びリファレンス用ゲル３４が皮膚に接触する面（図２における下面）の面積は２．５〜５．０ｃｍ２程度にするとよい。
【００２６】
そこで、ドナー用貼付部材２８の開口にドナー用ゲル３０を埋入し、リファレンス用貼付部材３２の開口にリファレンス用ゲル３４を埋入し、これらドナー用貼付部材２８及びリファレンス用貼付部材３２を患者の皮膚に貼り付けることで、ドナー部１６及びリファレンス部１８を略同時に皮膚に接触させることができ、１回の動作でパッチ１２を皮膚に簡単に貼り付けることができる。なお、ドナー用ゲル３０及びリファレンス用ゲル３４の皮膚の接触面に粘着性を持たせてもよい。
【００２７】
図３は、図２中のＩＩＩ−ＩＩＩ線に沿う電極フィルム２０の断面図であり、理解の容易のため、電極フィルム２０の厚さを誇張して図示している。図４Ａは、電極フィルム２０の平面図であり、図４Ｂは、電極フィルム２０の底面図である。
【００２８】
電極フィルム２０は、その外形を規定するフレキシブル基板で構成されるベース３６を有し、該ベース３６の各部がそれぞれドナー側部位２２、リファレンス側部位２４、及び、ブリッジ部位２６として構成されている。ベース３６は、例えば、ポリエステルやポリイミド等の樹脂を薄いフィルム状に形成した柔軟なフィルムである。なお、ベース３６は、リジッド基板であってもよい。
【００２９】
図３、図４Ａ、Ｂに示すように、ドナー側部位２２では、ベース３６の底面にドナー用ゲル３０と接触して電気的に接続される円形状の第１電極３８が設けられている。第１電極３８から、接続線３８ａが延伸しており、該接続線３８ａは、ブリッジ部位２６の略中央まで一側方に寄って配線されている。
【００３０】
リファレンス側部位２４では、ベース３６の底面にリファレンス用ゲル３４と接触して電気的に接続される長円形状の第２電極４０が設けられ、ベース３６の表面に一対の接触端子線（第１接触端子線、第２接触端子線）４２、４４が並列されている。第２電極４０から、接続線４０ａが延伸しており、該接続線４０ａは、ブリッジ部位２６の略中央まで他側方に寄って配線されて前記接続線３８ａと平行している（図４Ｂ参照）。接触端子線４２、４４は、リファレンス側部位２４の表面に並列された円形状でフィルム状の一対の端子台（導電部材）４２ａ、４４ａと、各端子台４２ａ、４４ａからブリッジ部位２６略中央まで屈曲延伸されて平行した一対の接続線４２ｂ、４４ｂとを有する。
【００３１】
電極フィルム２０を構成する各配線、すなわち第１電極３８（接続線３８ａ）、第２電極４０（接続線４０ａ）、接触端子線４２、４４（接続線４２ｂ、４４ｂ、端子台４２ａ、４４ａ）は、ベース３６の表面や裏面に対し、例えば、銀、銀／塩化銀若しくは鉄を含む導電性材料にて印刷形成される。これら各配線の露出面は、例えば、絶縁性の樹脂材料４５によって封止されるが（図３参照）、ドナー用ゲル３０及びリファレンス用ゲル３４と接触する第１電極３８及び第２電極４０の底面（接触面）には該樹脂材料４５は塗布されない。なお、複数回の印刷により導電性材料の厚みを増し、通電不良の発生をより確実に防止できるように構成してもよい。
【００３２】
図３、図４Ａ、Ｂに示すように、第１電極３８の接続線３８ａと、一方の接触端子線（第１接触端子線）４２の接続線４２ｂとは、ブリッジ部位２６の厚み方向で対応配置され（図３及び図４Ａ、Ｂ参照）、その先端同士がブリッジ部位２６を厚み方向に貫くスルーホール４６によって電気的に接続されている。同様に、第２電極４０の接続線４０ａと、他方の接触端子線（第２接触端子線）４４の接続線４４ｂとは、ブリッジ部位２６の厚み方向で対応配置され、その先端同士がブリッジ部位２６を厚み方向に貫くスルーホール４８によって電気的に接続されている。
【００３３】
このように、電極フィルム２０では、ドナー側部位２２のベース３６は、第１電極３８のみによる片面配線構造とされ、リファレンス側部位２４のベース３６は、第２電極４０及び接触端子線４２、４４による両面配線構造とされている。従って、パッチ１２では、両面配線構造のリファレンス側部位２４を設けたリファレンス部１８よりも、片面配線構造のドナー側部位２２を設けたドナー部１６の方が柔軟性が大きな構造となっている。なお、ブリッジ部位２６は、その略中央に各配線とスルーホール４６、４８が集中的に配置されるが、ドナー側部位２２寄りの部分は、接続線３８ａのみによる片面配線構造となっているため、ブリッジ部位２６についてもドナー部１６寄りの部分の柔軟性が大きな構造となっている。なお、電極フィルム２０の上面側（通電装置１４と接触する側）には、円形状で、且つ、薄い鉄板からなる一対の磁性体５０ａ、５０ｂが設けられている。
【００３４】
図１及び図３に示すように、ブリッジ部位２６は、接続線３８ａ、４０ａ、４２ｂ、４４ｂやスルーホール４６、４８、が外部に露出することを防止するため、絶縁性のシート材であるカバーレイ（保護層）４９によって囲繞されている。カバーレイ４９に代えて、絶縁性の塗料（レジスト）等を用いてもよいが、ブリッジ部位２６での柔軟性及び耐久性を考慮した場合には、シート材であるカバーレイ４９が有効である。
【００３５】
図２に示すように、リファレンス側部位２４の端子台４２ａ、４４ａの上面に、円形状で薄い鉄板からなるリジッドな導電板５２ａ、５２ｂが設けられ、２つの孔５４ａ、５４ｂを有する絶縁フィルム５４によって、導電板５２ａ、５２ｂの周縁部、端子台４２ａ、４４ａ、及び接続線４２ｂ、４４ｂが覆われる。これにより、２つの孔５４ａ、５４ｂによって覆われていない導電板５２ａ、５２ａの残部が絶縁フィルム５４から露出した状態となる。導電板５２ａ、５２ｂは、ベース３６より剛性が高い。
【００３６】
ここで、端子台４２ａ、導電板５２ａ、及び孔５４ａの中心位置は一致しており（端子台４２ａの中心を通り、端子台４２ａの平面に直交する直線は、導電板５２ａ及び孔５４ａの中心を通る）、端子台４４ａ、導電板５２ｂ、及び孔５４ｂの中心位置は一致している（端子台４４ａの中心を通り、端子台４４ａの平面に直交する直線は、導電板５２ｂ及び孔５４ｂの中心を通る）。
【００３７】
図１に示すように、通電装置１４は、その底面に電極フィルム２０の２つの孔５４ａ、５４ｂから露出した導電板５２ａ、５２ｂと接触する一対のスプリングプローブ（通電用接触端子）５６ａ、５６ｂと、一対の永久磁石（第１磁石）５８ａ、５８ｂとが設けられており、その内部には、電池６０と、図示しない定電流ダイオードとが接続された電気回路及びコントローラとを有する。図１に示すように、一対のスプリングプローブ５６ａ、５６ｂと２つの孔５４ａ、５４ｂから露出した導電板５２ａ、５２ｂとが接触するように、通電装置１４をパッチ１２に装着する場合に、一対の永久磁石５８ａ、５８ｂが一対の磁性体５０ａ、５０ｂに吸着するように（一対の永久磁石５８ａ、５８ｂが一対の磁性体５０ａ、５０ｂと相対するように）通電装置１４の底面に設けられている。つまり、永久磁石５８ａ、５８ｂは、パッチ１２に対する位置決めのとしての機能を有するとともに、通電装置１４をパッチ１２に装着させる機能も有する。スプリングプローブ５６ａ、５６ｂの先端子６２ａ、６２ｂは、図示しないスプリングによって通電装置１４の底面から下方に突出する方向に力が加えられている。端子台４２ａ、４４ａ、導電板５２ａ、５２ｂ、及びスプリングプローブ５６ａ、５６ｂは、本実施の形態のイオントフォレシス用導通機構を構成する。
【００３８】
図１に示す向き（所定の向き）で、通電装置１４をパッチ１２に接触させると、通電装置１４の永久磁石５８ａ、５８ｂと、パッチ１２の磁性体５０ａ、５０ｂとが吸着することで、通電装置１４をパッチ１２に固定することができる。このとき、スプリングプローブ５６ａ、５６ｂの先端子６２ａ、６２ｂは、通電装置１４とパッチ１２とが離間する方向に導電板５２ａ、５２ｂを押圧するが、この押圧する力は、永久磁石５８ａ、５８ｂの磁気吸引力より弱いため、通電装置１４とパッチ１２とが離間することはない。したがって、スプリングプローブ５６ａ、５６ｂの先端子６２ａ、６２ｂと導電板５２ａ、５２ａとが強固に接触した状態となる。これにより、通電装置１４とパッチ１２との電気的接続を強固にさせることができる。なお、通電装置１４とパッチ１２との電気的接続をより強固にするために、２つの孔５４ａ、５４ｂは、一対の磁性体５０ａ、５０ｂ間に設けられていることが好ましい。これにより、スプリングプローブ５６ａ、５６ｂの先端子６２ａ、６２ｂと導電板５２ａ、５２ｂとの接触をより強固にすることができる。
【００３９】
この通電装置１４では、電池６０の陰極側に絶縁シート６４が介在しており、使用開始前には、該絶縁シート６４により電池６０から直流電流が前記定電流ダイオードに流れるのを阻止している。一方、装置１０の使用開始時には、経皮的薬剤投与装置１０のパッチ１２を患者の皮膚に貼り付け、絶縁シート６４を引っ張って外すことで、電池６０の陰極と電極フィルム２０との間が電気的に接続され、これにより、電池６０からの直流電流が電極フィルム２０を介して、ドナー用ゲル３０や患者の体、リファレンス用ゲル３４に供給される。勿論、絶縁シート６４に代えて、電源スイッチ等を設けてもよい。
【００４０】
以上のような装置１０によれば、通電装置１４は、スプリングプローブ５６ａに接触した導電板５２ａから、端子台４２ａ、接続線４２ｂ、接続線３８ａ、第１電極３８を経てドナー用ゲル３０に直流電流を供給することができ、ドナー用ゲル３０に供給された直流電流は、患者の体内、リファレンス用ゲル３４、第２電極４０、接続線４０ａ、接続線４４ｂ、端子台４４ａ、導電板５２ｂを経て、スプリングプローブ５６ｂから通電装置１４へと戻る経路を構成する。
【００４１】
従って、患者の皮膚に貼り付けられる電極対として機能する一対のゲルのうち、薬剤が保持されるドナー用ゲル３０を設けたドナー部１６には通電装置１４が載置されず、ドナー部１６の柔軟性が通電装置１４によって損なわれることがない。このため、図５に示すように、血液透析の患者のように穿刺箇所（腕に形成したシャント部分）の血管が著しく隆起している場合であっても、薬剤を含有したドナー部１６を容易に追従させた状態で密着固定することができる。この際、ドナー部１６とリファレンス部１８とがブリッジ部位２６を介して互いに離れて配置されることから、ドナー部１６の柔軟性を一層向上させることができ、貼り付けの自由度を高めることができる。しかも、パッチ１２に直接的に通電装置１４を接続できるため、装置１０全体としての構成を小型化し、取り扱いが容易になるという利点もある。
【００４２】
このように、上記実施の形態においては、通電装置１４は、パッチ１２に電流を供給するための一対のスプリングプローブ５６ａ、５６ｂを有し、パッチ１２は、一対のスプリングプローブ５６ａ、５６ｂと電気的に接続される一対の端子台４２ａ、４４ａを有し、パッチ１２と通電装置１４とを永久磁石５８ａ、５８ｂの磁力によって吸着させることで、一対のスプリングプローブ５６ａ、５６ｂが一対の端子台４２ａ、４４ａと電気的に接続するので、コネクタが不要となり、結果として低コストの経皮的薬物投与装置を提供することができる。
【００４３】
また、通電装置１４は、パッチ１２に対する位置決めのための一対の永久磁石５８ａ、５８ｂを有し、パッチ１２は、一対の永久磁石５８ａ、５８ｂに吸着する磁性体５０ａ、５０ｂを有し、一対の永久磁石５８ａ、５８ｂと、一対の磁性体５０ａ、５０ｂとが吸着することで、一対のスプリングプローブ５６ａ、５６ｂが一対の端子台４２ａ、４４ａと電気的に接続するので、簡単に通電装置１４とパッチ１２とを電気的に接続させることができる。
【００４４】
通電装置１４と電気的に接続するパッチ１２側の端子台４２ａ、４４ａは、プリント基板であるベース３６上に導通性材料にて印刷形成されたものであるので、さらに経皮的薬物投与装置のコストが低廉になる。
【００４５】
ベース３６より剛性が高く、且つ、スプリングプローブ５６ａ、５６ｂに接触するリジッドな導電板５２ａ、５２ｂを端子台４２ａ、４４ａ上に設け、一対のスプリングプローブ５６ａ、５６ｂが一対の導電板５２ａ、５２ｂを押圧するので、スプリングプローブ５６ａ、５６ｂの押圧によって、導電板５２ａ、５２ｂの接触面が変形することない。したがって、一対のスプリングプローブ５６ａ、５６ｂと導電板５２ａ、５２ｂとの接触を向上させることができ、スプリングプローブ５６ａ、５６ｂと端子台４２ａ、４４ａとの電気的接続、つまり、通電装置１４とパッチ１２との電気的接続を向上させることができる。逆に、導電板５２ａ、５２ｂを設けない場合は、スプリングプローブ５６ａ、５６ｂは、直接、絶縁フィルム５４の孔５４ａ、５４ｂから露出した端子台４２ａ、４４ａを押圧するので、その押圧によりプリント基板であるベース３６上に設けられた端子台４２ａ、４４ａが変形する可能性があり、スプリングプローブ５６ａ、５６ｂと端子台４２ａ、４４ａとの接触不良が発生し、通電装置１４とパッチ１２との電気的接続が遮断される可能性があるが、本実施の形態では、導電板５２ａ、５２ｂを設けるので、このような不具合を是正することができる。
【００４６】
［変形例］上記実施の形態は、以下のように変形してもよい。
【００４７】
（変形例１）上記実施の形態では、スプリングプローブ５６ａ、５６ｂを用いて説明したが、要は、導電板５２ａ、５２ｂに接触して電流を流すことができる通電用の接触端子（通電用接触端子）であればよい。
【００４８】
（変形例２）上記実施の形態では、通電装置１４側に一対の永久磁石５８ａ、５８ｂを設け、パッチ１２側に一対の磁性体を設けるようにしたが、通電装置１４側に一対の磁性体を、パッチ１２側に一対の永久磁石を設けるようにしてもよい。また、２つの永久磁石及び磁性体を用いるようにしたが、１つの永久磁石及び磁性体を用いるようにしてもよい。例えば、通電装置１４側の１つの永久磁石を設け、パッチ１２側に１つの磁性体を設けるようにしてもよい。
【００４９】
（変形例３）上記実施の形態では、パッチ１２に、導電板５２ａ、５２ｂを設けるようにしたが、導電板５２ａ、５２ｂを設けなくてもよい。この場合は、スプリングプローブ５６ａ、５６ｂが電極フィルム２０の孔５４ａ、５４ｂから露出している端子台４２ａ、４４ａを押圧することになるが、この押圧する力（スプリングプローブ５６ａ、５６ｂのスプリングの力）を、ベース３６の剛性度合いに応じて弱くすれば、スプリングプローブ５６ａ、５６ｂと端子台４２ａ、４４ａとの接触不良が発生することを防止することができる。
【００５０】
（変形例４）
上記実施の形態では、孔５４ａ、５４ｂは、円形状の磁性体５０ａ、５０ｂの中心を結ぶ直線に直交し、且つ、前記直線の中点Ｍを通る直線に対して、左右対称に絶縁フィルム５４に設けられているため、通電装置１４を前記所定の向きとは逆の向きで（通電装置１４を１８０度回転させて）装着した場合、つまり、永久磁石５８ａが磁性体５０ｂに吸着し、永久磁石５８ｂが磁性体５０ａに吸着するように通電装置１４をパッチ１２に装着した場合は、スプリングプローブ５６ａが孔５４ｂから露出された導電板５２ｂと接触し、スプリングプローブ５６ｂが孔５４ａから露出された導電板５２ａと接触する。このため、通電装置１４からの電流はリファレンス部１８に供給されてしまう。本変形例４においては、このような、通電装置１４とパッチ１２と誤接続を防止する。
【００５１】
図６は、本変形例４における、孔５４ａ、５４ｂと磁性体５０ａ、５０ｂとの配置関係の一例を示す図である。図６では、孔５４ａ、５４ｂを、磁性体５０ａ、５０ｂの中心を結ぶ直線に直交し、且つ、該直線の中点Ｍを通る直線に対して非対象となるように絶縁フィルム５４に設けている。これにより、通電装置１４を前記所定の向きとは逆向きにしてパッチ１２に装着した場合は、スプリングプローブ５６ａ、５６ｂと、孔５４ａ、５４ａから露出された導電板５２ａとが接触しないため、通電装置１４とパッチ１２との誤接続を防止することができる。要は、孔５４ａ、５４ｂの中心を結ぶ直線の中点ｍと、磁性体５０ａ、５０ｂの中心を結ぶ直線の中点Ｍとが一致しないように、孔５４ａ、５４ｂを、絶縁フィルム５４に設ければよい。
【００５２】
図７は、本変形例２における、孔５４ａ、５４ｂと磁性体５０ａ、５０ｂとの配置関係を示す他の例である。図７では、孔５４ａ、５４ｂを、磁性体５０ａ、５０ｂの中心を結ぶ直線に直交し、且つ、該直線の中点Ｍを通る直線に対して対称であるが、孔５４ａ、５４ｂの中心を結ぶ直線の中点ｍが該中点Ｍに一致しないように絶縁フィルム５４に設けている。これにより、通電装置１４を前記所定の向きとは逆向きにしてパッチ１２に装着した場合は、スプリングプローブ５６ａ、５６ｂと、孔５４ａ、５４ａから露出された導電板５２ａとが接触しないため、通電装置１４とパッチ１２との誤接続を防止することができる。
【００５３】
このように、一対の孔５４ａ、５４ａは、一対の孔５４ａ、５４ａの中心を結ぶ直線の中点ｍと、一対の磁性体５０ａ、５０ｂの中心を結ぶ直線の中点Ｍとが一致しないように、パッチ１２に設けられるので、通電装置１４を前記所定の向き以外の向きで、パッチ１２に装着しようとしても、若しくは装着しても、一対のスプリングプローブ５６ａ、５６ｂは一対の導電板５２ａ、５２ｂと接触しないので、通電装置１４とパッチ１２との誤接続を防止することができる。ここで、孔５４ａ、５４ｂの半径Ｒ、及び、中点ｍから中点Ｍまでの距離Ｌは、少なくとも、Ｒ＜２×Ｌの関係を満たす必要がある。例えば、Ｒ≧２×２Ｌの場合に、通電装置１４を前記所定の向きと逆向きでパッチ１２に装着すると、スプリングプローブ５６ａ、５６ｂが孔５４ａ、５４ｂから露出した導電板５２ａ、５２ｂと接触してしまうからである。
【００５４】
なお、図６及び図７において、通電装置１４を前記所定の向きでパッチ１２に装着した場合は、通電装置１４の一対の永久磁石５８ａ、５８ｂは、一対の磁性体５０ａ、５０ｂと吸着し、通電装置１４のスプリングプローブ５６ａ、５６ｂは、孔５４ａ、５４ｂから露出した導電板５２ａ、５２ｂと接触する位置にそれぞれ設けられていることは言うまでもない。
【００５５】
（変形例５）
上記実施の形態において、一対の磁性体５０ａ、５０ｂを用いたが、図８に示すように、該一対の磁性体５０ａ、５０ｂに代えて、一対の永久磁石（第２磁石）７０ａ、７０ｂを用いてもよい。この場合は、通電装置１４側の永久磁石５８ａ、５８ｂのパッチ１２に接する側の磁極が互いに異なるように、一対の永久磁石５８ａ、５８ｂを設け、磁性体５０ａの代わりに永久磁石７０ａを、磁性体５０ｂの代わりに永久磁石７０ｂをそれぞれ設ける。通電装置１４をパッチ１２に装着する際に、永久磁石７０ａ、７０ｂが、永久磁石５８ａ、５８ｂと吸着する必要があるので、永久磁石７０ａ、７０ｂの通電装置１４に接する側の磁極が、それぞれ対応する永久磁石５８ａ、５８ｂのパッチ１２に接する側の磁極と異なる磁極となるように、一対の永久磁石７０ａ、７０ｂをパッチ１２側に設ける。
【００５６】
図８では、永久磁石５８ａ、５８ｂのパッチ１２に接する側の磁極がそれぞれ、Ｎ極、Ｓ極となるように永久磁石５８ａ、５８ｂを通電装置１４に設け、永久磁石７０ａ、７０ｂの通電装置１４側の磁極がそれぞれＳ極、Ｎ極となるように、永久磁石７０ａ、７０ｂをパッチ１２に設ける。
【００５７】
これにより、通電装置１４を前記所定の向きと逆向きにパッチ１２に装着しようとしても、一対の永久磁石５８ａ、５８ｂと一対の永久磁石７０ａ、７０ｂとが反発し合い、通電装置１４をパッチ１２に装着することができない。したがって、通電装置１４とパッチ１２との誤接続を防止することができる。
【００５８】
（変形例６）
上記実施の形態においては、図１、２に示すように、絶縁フィルム５４の孔５４ａ、５４ｂから導電板５２ａ、５２ｂを露出させるようにしたが、絶縁フィルム５４の孔５４ａ、５４ｂの上面に導電板５２ａ、５２ｂを設け、導電板５２ａ、５２ｂとスプリングプローブ５６ａ、５６ｂとを接触させてもよい。
【００５９】
また、上記実施の形態においては、図１、図２に示すように、リファレンス側部位２４上に絶縁フィルム５４を設けるようにしたが、絶縁フィルム５４を設けなくてもよい。この場合は、端子台４２ａ、４４ａの経を小さくして、孔５４ａ、５４ｂの大きさと同じ大きさにするとともに、孔５４ａ、５４ｂの配置と同じ位置に配置してもよい。さらに、接続線４２ｂ、４４ｂのみを覆う絶縁フィルムをリファレンス側部位２４上に設けてもよい。
【００６０】
（変形例７）
上記変形例１〜６を任意に組み合わせた態様であってもよい。
【００６１】
以上、本発明について好適な実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００６２】
１０…経皮的薬剤投与装置              １２…イオントフォレシス用パッチ
１４…通電装置                        １６…ドナー部
１８…リファレンス部                  ３０…ドナー用ゲル
３４…リファレンス用ゲル              ３６…ベース
３８…第１電極                        ４０…第２電極
４２、４４…接触端子線                ４２ａ、４４ａ…端子台（導電部材）
４２ｂ、４４ｂ…接続線                ４６、４８…スルーホール
５０ａ、５０ｂ…磁性体                ５２ａ、５２ｂ…導電板
５４…絶縁フィルム                    ５４ａ、５４ｂ…孔
５６ａ、５６ｂ…スプリングプローブ（通電用接触端子）
５８ａ、５８ｂ、７０ａ、７０ｂ…永久磁石（第１磁石、第２磁石）
６０…電池                            ６２ａ、６２ｂ…先端子
６４…絶縁シート
【図１】
2012139293.tif 000003
【図２】
2012139293.tif 000004
【図３】
2012139293.tif 000005
【図４】
2012139293.tif 000006
【図５】
2012139293.tif 000007
【図６】
2012139293.tif 000008
【図７】
2012139293.tif 000009
【図８】
2012139293.tif 000010